(57)【要約】【課題】  所有者に異常事態が発生した場合に確実に異常状態を検出することができる異常監視携帯端末を提供するとともに、所有者に異常事態が発生した場合に確実に異常状態を検出することができる異常監視装置を提供する。【解決手段】  使用者が正常状態にあることを示す正常状態確認信号Ｓ３を発信する異常監視携帯端末１であって、正常状態確認信号Ｓ３の受信状況に基づいて使用者の状態判定を行う異常監視装置２に対し、警戒モードの設定及び解除を通知する警戒モード設定信号Ｓ１、Ｓ２を送信する警戒モード設定手段１１、所定の操作時点設定ルールに基づいて、使用者に対し所定の正常状態確認操作を行わせるための操作要求を行う操作要求手段１２、正常状態確認操作を認識する毎に正常状態確認信号Ｓ３を生成する正常状態確認信号生成手段１３、及び、異常監視装置２に対し正常状態確認信号Ｓ３を発信する発信手段１４を備える。【選択図】        図１
2007264913.tif 000002
【特許請求の範囲】
【請求項１】
使用者の操作に基づいて前記使用者が正常状態にあることを示す正常状態確認信号を発信する異常監視携帯端末であって、
所定の条件に基づいて警戒モードの設定及び解除を行い、前記正常状態確認信号の受信状況に基づいて前記使用者の状態判定を行う異常監視装置に対し、前記警戒モードの設定及び解除を通知する警戒モード設定信号を送信する警戒モード設定手段と、
前記警戒モードの設定期間内に、所定の操作時点設定ルールに基づいて、前記使用者に対し所定の正常状態確認操作を行わせるための操作要求を行う操作要求手段と、
前記使用者による前記正常状態確認操作を認識する毎に、現在位置を特定し、特定した前記現在位置を示す位置情報を含む正常状態確認信号を生成する正常状態確認信号生成手段と、
前記異常監視装置に対し前記正常状態確認信号を発信する発信手段と、を備えることを特徴とする異常監視携帯端末。
【請求項２】
前記警戒モード設定信号は、前記現在位置を示す位置情報を含むことを特徴とする請求項１に記載の異常監視携帯端末。
【請求項３】
使用者の操作に基づいて前記使用者が正常状態にあることを示す正常状態確認信号を発信する異常監視携帯端末であって、
所定の条件に基づいて警戒モードの設定及び解除を行い、前記正常状態確認信号の受信状況に基づいて前記使用者の状態判定を行う異常監視装置に対し、前記警戒モードの設定及び解除を通知する警戒モード設定信号を送信する警戒モード設定手段と、
前記警戒モードの設定期間内に、所定の操作時点設定ルールに基づいて、前記使用者に対し所定の正常状態確認操作を行わせるための操作要求を行う操作要求手段と、
前記使用者による前記正常状態確認操作を認識する毎に、正常状態確認信号を生成する正常状態確認信号生成手段と、
前記異常監視装置に対し正常状態確認信号を発信する発信手段と、
所定時間経過毎に現在位置を特定し、特定した前記現在位置を示す位置情報を含む位置情報通知信号を前記異常監視装置に対し送信する位置情報送信手段と、を備えることを特徴とする異常監視携帯端末。
【請求項４】
使用者の操作に基づいて前記使用者が正常状態にあることを示す正常状態確認信号を発信する異常監視携帯端末であって、
所定の条件に基づいて警戒モードの設定及び解除を行い、前記正常状態確認信号の受信状況に基づいて前記使用者の状態判定を行う異常監視装置に対し、前記警戒モードの設定及び解除を通知する警戒モード設定信号を送信する警戒モード設定手段と、
前記警戒モードの設定期間内に、所定の操作時点設定ルールに基づいて、前記使用者に対し所定の正常状態確認操作を行わせるための操作要求を行う操作要求手段と、
前記使用者による前記正常状態確認操作を認識する毎に、正常状態確認信号を生成する正常状態確認信号生成手段と、
前記異常監視装置に対し前記正常状態確認信号を発信する発信手段と、を備え、
前記異常監視装置に対する発信は、前記異常監視装置側で前記異常監視携帯端末の位置を特定することが可能な通信経路を経由して行うことを特徴とする異常監視携帯端末。
【請求項５】
前記操作要求手段は、一定時間経過毎に前記操作要求を行うことを特徴とする請求項１〜４の何れか１項に記載の異常監視携帯端末。
【請求項６】
予め設定された所定の確認地点の通過を検出する確認地点通過検出手段と、
前記確認地点通過検出手段が前記確認地点の通過を検出した場合に、前記確認地点を示す位置情報を含む確認地点通過信号を生成する確認地点通過信号生成手段と、を備え、
前記操作要求手段は、所定の前記正常状態確認信号の発信時から一定時間内に通過予定の前記確認地点の通過が検出されなかった場合に、前記操作要求を行うことを特徴とする請求項１〜５の何れか１項に記載の異常監視携帯端末。
【請求項７】
前記発信手段は、前記確認地点通過信号を前記異常監視装置に対し発信することを特徴とする請求項６に記載の異常監視携帯端末。
【請求項８】
前記操作要求手段は、前記異常監視装置からの正常状態確認要求に応じて、前記使用者に対し所定の正常状態確認操作を行わせるための操作要求を行うことを特徴とする請求項１〜４の何れか１項に記載の異常監視携帯端末。
【請求項９】
予め設定された所定の確認地点の通過を検出する確認地点通過検出手段と、
前記確認地点通過検出手段が前記確認地点の通過を検出した場合に、前記確認地点を示す位置情報を含む確認地点通過信号を生成する確認地点通過信号生成手段と、を備え、
前記発信手段は、前記確認地点通過信号を前記異常監視装置に対し発信することを特徴とする請求項８に記載の異常監視携帯端末。
【請求項１０】
請求項１〜７の何れか１項に記載の異常監視携帯端末から発信された前記警戒モード設定信号及び前記正常状態確認信号を少なくとも受け付ける受信手段と、
前記正常状態確認信号の受信予定期間内に前記受信手段が前記正常状態確認信号を受信しなかった場合に、前記使用者の状態が異常状態であると判定する状態判定手段と、を備えることを特徴とする異常監視装置。
【請求項１１】
請求項８または９に記載の異常監視携帯端末から発信された前記警戒モード設定信号及び前記正常状態確認信号を少なくとも受け付ける受信手段と、
所定の操作時点設定ルールに基づいて、前記異常監視携帯端末に対し前記正常状態確認要求を発信する正常状態確認要求手段と、
前記正常状態確認信号の受信予定期間内に前記受信手段が前記正常状態確認信号を受信しなかった場合に、前記使用者の状態が異常状態であると判定する状態判定手段と、を備えることを特徴とする異常監視装置。
【請求項１２】
請求項３に記載の異常監視携帯端末から発信された前記警戒モード設定信号、前記正常状態確認信号及び前記位置情報通知信号を受け付ける受信手段と、
前記異常監視携帯端末から発信された前記位置情報通知信号に基づいて、予め設定された所定の確認地点の通過を検出する確認地点通過検出手段と、
前記正常状態確認信号の受信予定期間内に前記受信手段が前記正常状態確認信号を受信しなかった場合、若しくは、前記確認地点通過検出手段において所定の前記正常状態確認信号の受信時から一定時間内に通過予定の前記確認地点の通過が検出されなかった場合の少なくとも何れか一方の場合に、前記使用者の状態が異常状態であると判定する状態判定手段と、を備えることを特徴とする異常監視装置。
【請求項１３】
請求項３に記載の異常監視携帯端末から発信された前記警戒モード設定信号、前記正常状態確認信号及び前記位置情報通知信号を受け付ける受信手段と、
前記異常監視携帯端末から発信された前記位置情報通知信号に基づいて、予め設定された所定の確認地点の通過を検出する確認地点通過検出手段と、
所定の操作時点設定ルールに基づいて、前記異常監視携帯端末に対し前記使用者に対し所定の正常状態確認操作を行わせるための操作要求を行わせる正常状態確認要求を発信する正常状態確認要求手段と、
前記正常状態確認信号の受信予定期間内に前記受信手段が前記正常状態確認信号を受信しなかった場合に、前記使用者の状態が異常状態であると判定する状態判定手段と、を備えることを特徴とする異常監視装置。
【請求項１４】
前記正常状態確認要求手段は、所定の前記正常状態確認信号の受信時から一定時間内に通過予定の前記確認地点の通過が検出されなかった場合に、前記正常状態確認要求を行うことを特徴とする請求項１３に記載の異常監視装置。
【請求項１５】
前記正常状態確認要求手段は、一定時間経過毎に前記正常状態確認要求を行うことを特徴とする請求項１１、１３、１４の何れか１項に記載の異常監視装置。
【発明の詳細な説明】
【技術分野】
【０００１】
本発明は、使用者の操作に基づいて前記使用者が正常状態にあることを示す正常状態確認信号を発信する異常監視携帯端末、及び、前記正常状態確認信号の受信状況に基づいて前記使用者の状態判定を行う異常監視装置に関する。
【背景技術】
【０００２】
子供や女性等に対する犯罪の防止や危険回避のための技術として、大音量の警報音で異常発生を周囲に知らせる警報ブザーがある。また、他の犯罪防止技術として、利用者の操作によって異常発生信号を発信する携帯電話から異常発生信号を受信したときに、ＧＰＳ（Ｇｌｏｂａｌ  Ｐｏｓｉｔｉｏｎｉｎｇ  Ｓｙｓｔｅｍ）や携帯電話の基地局を利用して異常発生信号を発信した携帯電話の位置情報を検出し、検出した位置情報とともに異常発生が発生したことを、身内や警察、警備会社等の利用者に関係する個人または機関に対して通報する異常通知システムが提供されている（例えば、特許文献１及び特許文献２参照）。異常事態としては、例えば、住宅内での事故や病気により利用者が動けなくなった場合や、子供や女性等の利用者に危険が迫った場合等が考えられる。
【０００３】
しかしながら、警報ブザーや警報端末等を身につけていても、異常事態に際して利用者が警報ブザーや警報端末を操作できない場合があり、異常事態を利用者に関係する個人や機関に確実に通報できない場合があった。
【０００４】
これに対し、一定間隔で利用者に対し応答操作を要求し、応答操作がない場合に所定の警備会社に対して異常発生信号と位置情報を送信する携帯端末がある（例えば、非特許文献１参照）。
【０００５】
【特許文献１】特開２００１−７６２８９号公報
【特許文献２】特開２００３−２９８７７４号公報
【特許文献３】特開２００２−２７１５２２号公報
【非特許文献１】“ココセコム(人向け)”、［online］、セコム株式会社、［平成１８年３月１０日検索］、インターネット〈ＵＲＬ：http://www.secom.co.jp/service/cocosecom/human/women.html〉
【発明の開示】
【発明が解決しようとする課題】
【０００６】
しかしながら、非特許文献１の携帯端末は、利用者による応答操作が認識されない場合に異常発生信号と位置情報を送信する構成であることから、携帯端末が破壊される等により正常に異常発生信号を送信できなかった場合には、異常を検知できないという問題があった。
【０００７】
本発明は上記の問題に鑑みてなされたものであり、その目的は、所有者に異常事態が発生した場合に確実に異常状態を検出することができる異常監視携帯端末を提供する点にある。また、所有者に異常事態が発生した場合に確実に異常状態を検出することができる異常監視装置を提供する。
【課題を解決するための手段】
【０００８】
上記目的を達成するための本発明に係る異常監視携帯端末は、使用者の操作に基づいて前記使用者が正常状態にあることを示す正常状態確認信号を発信する異常監視携帯端末であって、所定の条件に基づいて警戒モードの設定及び解除を行い、前記正常状態確認信号の受信状況に基づいて前記使用者の状態判定を行う異常監視装置に対し、前記警戒モードの設定及び解除を通知する警戒モード設定信号を送信する警戒モード設定手段と、前記警戒モードの設定期間内に、所定の操作時点設定ルールに基づいて、前記使用者に対し所定の正常状態確認操作を行わせるための操作要求を行う操作要求手段と、前記使用者による前記正常状態確認操作を認識する毎に、現在位置を特定し、特定した前記現在位置を示す位置情報を含む正常状態確認信号を生成する正常状態確認信号生成手段と、前記異常監視装置に対し前記正常状態確認信号を発信する発信手段と、を備えることを第１の特徴とする。
【０００９】
上記特徴の異常監視携帯端末は、前記警戒モード設定信号が、前記現在位置を示す位置情報を含むことを第２の特徴とする。
【００１０】
上記目的を達成するための本発明に係る異常監視携帯端末は、使用者の操作に基づいて前記使用者が正常状態にあることを示す正常状態確認信号を発信する異常監視携帯端末であって、所定の条件に基づいて警戒モードの設定及び解除を行い、前記正常状態確認信号の受信状況に基づいて前記使用者の状態判定を行う異常監視装置に対し、前記警戒モードの設定及び解除を通知する警戒モード設定信号を送信する警戒モード設定手段と、前記警戒モードの設定期間内に、所定の操作時点設定ルールに基づいて、前記使用者に対し所定の正常状態確認操作を行わせるための操作要求を行う操作要求手段と、前記使用者による前記正常状態確認操作を認識する毎に、正常状態確認信号を生成する正常状態確認信号生成手段と、前記異常監視装置に対し正常状態確認信号を発信する発信手段と、所定時間経過毎に現在位置を特定し、特定した前記現在位置を示す位置情報を含む位置情報通知信号を前記異常監視装置に対し送信する位置情報送信手段と、を備えることを第３の特徴とする。
【００１１】
上記目的を達成するための本発明に係る異常監視携帯端末は、使用者の操作に基づいて前記使用者が正常状態にあることを示す正常状態確認信号を発信する異常監視携帯端末であって、所定の条件に基づいて警戒モードの設定及び解除を行い、前記正常状態確認信号の受信状況に基づいて前記使用者の状態判定を行う異常監視装置に対し、前記警戒モードの設定及び解除を通知する警戒モード設定信号を送信する警戒モード設定手段と、前記警戒モードの設定期間内に、所定の操作時点設定ルールに基づいて、前記使用者に対し所定の正常状態確認操作を行わせるための操作要求を行う操作要求手段と、前記使用者による前記正常状態確認操作を認識する毎に、正常状態確認信号を生成する正常状態確認信号生成手段と、前記異常監視装置に対し前記正常状態確認信号を発信する発信手段と、を備え、前記異常監視装置に対する発信は、前記異常監視装置側で前記異常監視携帯端末の位置を特定することが可能な通信経路を経由して行うことを第４の特徴とする。
【００１２】
上記第１〜第４の何れかの特徴の異常監視携帯端末によれば、警戒モードの設定と解除を示す警戒モード設定信号を異常監視装置に発信し、使用者に対して正常状態確認操作を要求し、正常状態確認操作が行われたときに正常状態確認信号を異常監視装置に発信するように構成したので、異常監視装置側では、警戒モード中において正常状態確認操作が行われないときに使用者の状態が異常状態であると判定することができる。このため、本発明に係る異常監視携帯端末によれば、異常事態の発生に際して所有者が異常事態の発生を通知するための操作を実施できない場合、例えば、異常監視携帯端末が破壊された場合や病気等により使用者が異常監視携帯端末を操作できない場合でも、異常監視装置が設置された学校や警備会社等の側で異常事態の発生を確実に検知できる。また、異常事態の検出を異常監視装置側で行うので、防犯処理に係る異常監視携帯端末の負荷を軽減することができる。尚、警戒モードに設定されなければ正常状態確認信号を受信しなくても異常状態とは判定されないので、警戒が必要な場合にのみ異常監視携帯端末を使用することが可能になる。
【００１３】
更に、本発明に係る異常監視携帯端末によれば、上記第１の特徴の異常監視携帯端末では位置情報を含む正常状態確認信号により、上記第３の特徴の異常監視携帯端末では位置情報を含む位置情報通知信号により、異常監視装置側で使用者の位置を任意の時に把握することが可能になる。これによって、異常監視携帯端末の使用者に異常事態が発生した場合に異常監視携帯端末の使用者の位置を異常監視装置側で迅速に特定することが可能になり、異常事態により適切且つ迅速に対応することが可能になる。
【００１４】
上記第２の特徴の異常監視携帯端末によれば、警戒モード設定信号が位置情報を含むので、警戒モードの設定時及び解除時における異常監視携帯端末の使用者の位置を異常監視装置側で特定することが可能になる。これによって、異常監視携帯端末の使用者に異常事態が発生した場合により適切に対応することが可能になる。
【００１５】
尚、警戒モードの設定及び解除における所定の条件は、例えば、使用者の設定及び解除操作を警戒モードの設定及び解除条件としても良いし、異常監視携帯端末が所定領域内にあることを警戒モードの設定条件としても良い。
【００１６】
上記何れかの特徴の異常監視携帯端末は、前記操作要求手段が、一定時間経過毎に前記操作要求を行うことを第５の特徴とする。
【００１７】
上記第５の特徴の異常監視携帯端末によれば、定期的に使用者が正常状態にあることを確認するので、異常監視装置側で異常事態が発生した位置及び時刻をある程度の精度で把握することが可能になる。
【００１８】
上記第１〜第５の何れかの特徴の異常監視携帯端末は、予め設定された所定の確認地点の通過を検出する確認地点通過検出手段と、前記確認地点通過検出手段が前記確認地点の通過を検出した場合に、前記確認地点を示す位置情報を含む確認地点通過信号を生成する確認地点通過信号生成手段と、を備え、前記操作要求手段は、所定の前記正常状態確認信号の発信時から一定時間内に通過予定の前記確認地点の通過が検出されなかった場合に、前記操作要求を行うことを第６の特徴とする。
【００１９】
上記第６の特徴の異常監視携帯端末によれば、通過予定の確認地点の通過が検出されない場合に操作要求を行うので、予め設定された経路を外れた場合や確認地点への到達が遅れている場合に使用者の状態確認を行うことができる。予め設定された経路を外れた場合は異常事態が発生している可能性が高いと考えられ、このような場合に使用者の状態確認を行うことで、より確実に使用者の異常状態を検出することができ、より適切に使用者の安全を担保することが可能になる。また、本発明に係る異常監視携帯端末は、通過予定の確認地点の通過が検出されない場合に操作要求を行うので、例えば、確認地点の通過が検出された場合には使用者に対し正常状態確認操作を要求しないことで、使用者の正常状態確認操作の回数を減らすことができ、使用者の正常状態確認操作にかかる負担を軽減できる。
【００２０】
上記第６の特徴の異常監視携帯端末は、前記発信手段が、前記確認地点通過信号を前記異常監視装置に対し発信することを第７の特徴とする。
【００２１】
上記第７の特徴の異常監視携帯端末によれば、確認地点通過信号を異常監視装置に対し発信するので、異常監視装置側で、使用者が正しい経路を辿っているか否かを確認することが可能になる。
【００２２】
上記第１〜第４の何れかの特徴の異常監視携帯端末は、前記操作要求手段が、前記異常監視装置からの正常状態確認要求に応じて、前記使用者に対し所定の正常状態確認操作を行わせるための操作要求を行うことを第８の特徴とする。
【００２３】
上記第８の特徴の異常監視携帯端末によれば、異常監視装置からの正常状態確認要求に応じて操作要求を行うので、異常監視携帯端末の操作要求の要否判断に要する負担を軽減することができる。
【００２４】
上記第８の特徴の異常監視携帯端末は、予め設定された所定の確認地点の通過を検出する確認地点通過検出手段と、前記確認地点通過検出手段が前記確認地点の通過を検出した場合に、前記確認地点を示す位置情報を含む確認地点通過信号を生成する確認地点通過信号生成手段と、を備え、前記発信手段は、前記確認地点通過信号を前記異常監視装置に対し発信することを第９の特徴とする。
【００２５】
上記第９の特徴の異常監視携帯端末によれば、所定の確認地点の通過を検出して異常監視装置に確認地点通過信号を発信するので、使用者が正しい経路を辿っているか否かを異常監視装置側で確認することが可能になる。これによって、異常監視装置は、使用者の行動により柔軟に適応した使用者の状態判定を行うことが可能になる。
【００２６】
上記目的を達成するための本発明に係る異常監視装置は、上記第１〜７の何れかの特徴の異常監視携帯端末から発信された前記警戒モード設定信号及び前記正常状態確認信号を少なくとも受け付ける受信手段と、前記正常状態確認信号の受信予定期間内に前記受信手段が前記正常状態確認信号を受信しなかった場合に、前記使用者の状態が異常状態であると判定する状態判定手段と、を備えることを第１の特徴とする。
【００２７】
上記第１の特徴の異常監視装置によれば、上記第１〜７の何れかの特徴の異常監視携帯端末から発信された警戒モード設定信号及び正常状態確認信号に基づいて使用者の状態を判定するので、異常監視装置側で、警戒モード中において正常状態確認操作が行われないときに使用者の状態が異常状態であると判定することができる。これによって、異常事態の発生に際して所有者が異常事態の発生を通知するための操作を実施できない場合でも、異常監視装置が設置された学校や警備会社等の側で異常事態の発生を確実に検知できる。また、異常事態の検出を異常監視装置側で行うので、防犯処理に係る異常監視携帯端末の負荷を軽減することができる。更に、異常監視携帯端末からの正常状態確認信号または位置情報通知信号に含まれる位置情報により、異常監視携帯端末の位置を常時特定することが可能になるため、異常事態により適切且つ迅速に対応することが可能になる。
【００２８】
上記目的を達成するための本発明に係る異常監視装置は、上記第８または９の特徴の異常監視携帯端末から発信された前記警戒モード設定信号及び前記正常状態確認信号を少なくとも受け付ける受信手段と、所定の操作時点設定ルールに基づいて、前記異常監視携帯端末に対し前記正常状態確認要求を発信する正常状態確認要求手段と、前記正常状態確認信号の受信予定期間内に前記受信手段が前記正常状態確認信号を受信しなかった場合に、前記使用者の状態が異常状態であると判定する状態判定手段と、を備えることを第２の特徴とする。
【００２９】
上記第２の特徴の異常監視装置によれば、上記第８または９の特徴の異常監視携帯端末から発信された警戒モード設定信号及び正常状態確認信号に基づいて使用者の状態を判定するので、異常監視装置側で、警戒モード中において正常状態確認操作が行われないときに使用者の状態が異常状態であると判定することができる。これによって、所有者が異常事態の発生を通知するための操作を実施できない場合でも異常監視装置側で異常事態の発生を確実に検知でき、防犯処理に係る異常監視携帯端末の負荷を軽減することができる。更に、本発明に係る異常監視装置側で正常状態確認操作を行わせるための正常状態確認要求を発信するので、異常監視携帯端末の処理負担を増大させることなく、使用者の属性に対応してより柔軟な正常状態確認を行うことが可能になる。
【００３０】
上記目的を達成するための本発明に係る異常監視装置は、上記第３の特徴の異常監視携帯端末から発信された前記警戒モード設定信号、前記正常状態確認信号及び前記位置情報通知信号を受け付ける受信手段と、前記異常監視携帯端末から発信された前記位置情報通知信号に基づいて、予め設定された所定の確認地点の通過を検出する確認地点通過検出手段と、前記正常状態確認信号の受信予定期間内に前記受信手段が前記正常状態確認信号を受信しなかった場合、若しくは、前記確認地点通過検出手段において所定の前記正常状態確認信号の受信時から一定時間内に通過予定の前記確認地点の通過が検出されなかった場合の少なくとも何れか一方の場合に、前記使用者の状態が異常状態であると判定する状態判定手段と、を備えることを第３の特徴とする。
【００３１】
上記第３の特徴の異常監視装置によれば、上記第３の特徴の異常監視携帯端末から発信された警戒モード設定信号、正常状態確認信号及び位置情報通知信号に基づいて使用者の状態を判定するので、異常監視装置側で、警戒モード中において正常状態確認操作が行われないときに使用者の状態が異常状態であると判定することができる。これによって、所有者が異常事態の発生を通知するための操作を実施できない場合でも異常監視装置側で異常事態の発生を確実に検知でき、防犯処理に係る異常監視携帯端末の負荷を軽減することができる。更に、本発明に係る異常監視装置によれば、異常監視携帯端末からの位置情報通知信号に含まれる位置情報により、使用者が正しい経路を辿っているか否かを確認することが可能になり、異常監視携帯端末の移動状況から使用者の状態を判定することが可能になるため、より確実に使用者の異常状態を検出することができ、より適切に使用者の安全を担保することが可能になる。
【００３２】
上記目的を達成するための本発明に係る異常監視装置は、上記第３の特徴の異常監視携帯端末から発信された前記警戒モード設定信号、前記正常状態確認信号及び前記位置情報通知信号を受け付ける受信手段と、前記異常監視携帯端末から発信された前記位置情報通知信号に基づいて、予め設定された所定の確認地点の通過を検出する確認地点通過検出手段と、所定の操作時点設定ルールに基づいて、前記異常監視携帯端末に対し前記使用者に対し所定の正常状態確認操作を行わせるための操作要求を行わせる正常状態確認要求を発信する正常状態確認要求手段と、前記正常状態確認信号の受信予定期間内に前記受信手段が前記正常状態確認信号を受信しなかった場合に、前記使用者の状態が異常状態であると判定する状態判定手段と、を備えることを第４の特徴とする。
【００３３】
上記第４の特徴の異常監視装置によれば、上記第３の特徴の異常監視携帯端末から発信された警戒モード設定信号、正常状態確認信号及び位置情報通知信号に基づいて使用者の状態を判定するので、異常監視装置側で、警戒モード中において正常状態確認操作が行われないときに使用者の状態が異常状態であると判定することができる。これによって、所有者が異常事態の発生を通知するための操作を実施できない場合でも異常監視装置側で異常事態の発生を確実に検知でき、防犯処理に係る異常監視携帯端末の負荷を軽減することができる。更に、本発明に係る異常監視装置によれば、異常監視携帯端末からの位置情報通知信号に含まれる位置情報により、異常監視携帯端末の移動状況から使用者の状態を判定することが可能になるため、より確実に使用者の異常状態を検出することができ、より適切に使用者の安全を担保することが可能になる。
【００３４】
上記第４の特徴の異常監視装置は、前記正常状態確認要求手段が、所定の前記正常状態確認信号の受信時から一定時間内に通過予定の前記確認地点の通過が検出されなかった場合に、前記正常状態確認要求を行うことを第５の特徴とする。
【００３５】
上記第５の特徴の異常監視装置によれば、一定時間の間に通過予定の確認地点の通過が検出されない場合に操作要求を行うので、例えば、確認地点の通過が検出された場合には使用者に対し正常状態確認操作を要求しないことで、使用者の正常状態確認操作の回数を減らすことができ、使用者の正常状態確認操作にかかる負担を軽減できる。
【００３６】
上記第２、４、５の何れかの特徴の異常監視装置は、前記正常状態確認要求手段が、一定時間経過毎に前記正常状態確認要求を行うことを第６の特徴とする。
【００３７】
上記第６の特徴の異常監視装置によれば、定期的に使用者が正常状態にあることを確認するので、異常事態が発生した位置及び時刻をある程度の精度で把握することが可能になる。
【発明を実施するための最良の形態】
【００３８】
以下、本発明に係る異常監視携帯端末及び異常監視装置の実施形態を図面に基づいて説明する。
【００３９】
〈第１実施形態〉
本発明に係る異常監視携帯端末及び異常監視装置の第１実施形態について図１及び図２を基に説明する。
【００４０】
本実施形態の異常監視携帯端末１は、図１に示すように、異常監視装置２と中継端末３を介してデータ通信を行うための通信インターフェース１０、異常監視装置２に警戒モードの設定及び解除を通知する警戒モード設定手段１１、所定の操作時点設定ルールに基づいて使用者に対し正常状態確認操作を行わせるための操作要求を行う操作要求手段１２、正常状態確認操作を認識する毎に正常状態確認信号Ｓ３を生成する正常状態確認信号生成手段１３、及び、異常監視装置２に対し正常状態確認信号Ｓ３を発信する発信手段１４を備えて構成される。
【００４１】
本実施形態の異常監視携帯端末１は、コンピュータのハードウェアとそのハードウェア上で実行されるアプリケーションソフトウェアで構成されている。また、本実施形態の異常監視携帯端末１は、防犯ブザー機能を備えており、所有者によって防犯ブザーが操作されると、ブザーを鳴らしたりフラッシュを発光させたりする等の防犯機能を備えている。
【００４２】
通信インターフェース１０は、本実施形態では、微弱電波或いは特定小電力無線を利用して、所定の警備会社が管理する複数のホームセキュリティ端末の内の異常監視携帯端末１の通信圏内にあるホームセキュリティ端末３と無線通信可能に構成されており、当該ホームセキュリティ端末３を中継端末３として異常監視装置２とデータ通信を行う。
【００４３】
警戒モード設定手段１１は、所定の条件に基づいて警戒モードの設定及び解除を行い、異常監視装置２に対して警戒モードの設定を通知する警戒モード設定信号Ｓ１と警戒モードの解除を通知する警戒モード設定信号Ｓ２を送信する。本実施形態の警戒モード設定信号Ｓ１、Ｓ２は、異常監視携帯端末１の端末ＩＤ、警戒モードの設定または解除を示す情報、異常監視携帯端末１の現在位置を示す位置情報、及び、中継端末３に対する異常監視装置２への転送指示を含んで構成される。ここでの位置情報は、世界測地系による経度・緯度である。
【００４４】
操作要求手段１２は、警戒モードの設定期間内に、所定の操作時点設定ルールに基づいて、使用者に対し所定の正常状態確認操作を行わせるための操作要求を行う。本実施形態では、警戒モードの設定時または正常状態確認操作の実施時から時間計測を行い、警戒モードの設定時または正常状態確認操作の実施時から予め設定された一定時間が経過したときに操作要求を行う。操作要求としては、異常監視携帯端末１に搭載されたバイブレーション機能を用いて異常監視携帯端末１を振動させる、または、操作要求を示す音を鳴らす等する。
【００４５】
正常状態確認信号生成手段１３は、使用者による正常状態確認操作を認識する毎に、現在位置を特定し、特定した現在位置を示す位置情報を含む正常状態確認信号Ｓ３を生成し、生成した正常状態確認信号Ｓ３を異常監視携帯端末１に予め搭載されている不揮発性半導体メモリ等の記憶装置の所定の記憶領域１５に記憶する。現在位置は、本実施形態では、ＧＰＳ（Ｇｌｏｂａｌ  Ｐｏｓｉｔｉｏｎｉｎｇ  Ｓｙｓｔｅｍ）を利用して特定する。本実施形態の正常状態確認信号Ｓ３は、異常監視携帯端末１の端末ＩＤ、使用者の属性情報、異常監視携帯端末１の現在位置を示す位置情報、及び、中継端末３に対する異常監視装置２への転送指示を含んで構成される。使用者の属性情報としては、例えば、異常監視携帯端末１に固有に割り当てられた端末ＩＤ、使用者の氏名等を想定している。
【００４６】
発信手段１４は、正常状態確認信号生成手段１３が正常状態確認信号Ｓ３を生成したときに、当該正常状態確認信号Ｓ３を通信インターフェース１０を介して異常監視装置２に対して発信する。
【００４７】
本実施形態の異常監視装置２は、警戒モード設定信号Ｓ１、Ｓ２及び正常状態確認信号Ｓ３の受信状況に基づいて使用者の状態判定を行う。異常監視装置２は、図１に示すように、異常監視携帯端末１とホームセキュリティ端末３を介してデータ通信を行うための通信インターフェース２０、異常監視携帯端末１から発信された警戒モード設定信号Ｓ１、Ｓ２及び正常状態確認信号Ｓ３を受け付ける受信手段２１、及び、警戒モード設定信号Ｓ１、Ｓ２及び正常状態確認信号Ｓ３の受信状況に基づいて使用者の状態判定を行う状態判定手段２２を備える。
【００４８】
本実施形態の異常監視装置２は、コンピュータのハードウェアとそのハードウェア上で実行されるアプリケーションソフトウェアで構成されている。本実施形態では、異常監視装置２が所定の警備会社に設置されている場合を想定して説明する。
【００４９】
通信インターフェース２０は、本実施形態では、ホームセキュリティ端末３と公衆電話回線等の通信回線を介してデータ通信可能に構成されており、当該ホームセキュリティ端末３を中継端末３として異常監視携帯端末１とデータ通信を行う。
【００５０】
受信手段２１は、異常監視携帯端末１から発信された警戒モード設定信号Ｓ１、Ｓ２及び正常状態確認信号Ｓ３を受け付ける。更に、本実施形態の受信手段２１は、正常状態確認信号Ｓ３を受信したときは、正常状態確認信号Ｓ３の受信時刻（年月日分秒）を取得し、正常状態確認信号Ｓ３と受信時刻とを異常監視携帯端末１に予め搭載されている不揮発性半導体メモリ等の記憶装置の所定の記憶領域２３に記憶する。本実施形態の記憶領域２３は、所定数の正常状態確認信号Ｓ３を記憶可能に構成されている。また、受信手段２１は、警戒モード設定信号Ｓ１、Ｓ２を受信したときは、警戒モード設定信号Ｓ１、Ｓ２の受信時刻を取得し、警戒モード設定信号Ｓ１、Ｓ２と受信時刻とをメモリ内の所定の記憶領域２３に記憶する。
【００５１】
状態判定手段２２は、警戒モード設定信号Ｓ１、Ｓ２及び正常状態確認信号Ｓ３の受信状況に基づいて使用者の状態判定を行う。本実施形態では、状態判定手段２２は、正常状態確認信号Ｓ３の受信予定期間内に受信手段２１が正常状態確認信号Ｓ３を受信しなかった場合に、使用者の状態が異常状態であると判定する。より具体的には、記憶領域２３に記憶されている正常状態確認信号Ｓ３の受信時刻から一定時間内に次の正常状態確認信号Ｓ３が受信されない場合に、使用者の状態が異常状態であると判定する。尚、１回目の正常状態確認信号Ｓ３に対する判定は、警戒モード設定信号Ｓ１を起点として行う。
【００５２】
次に、本実施形態における異常監視携帯端末１及び異常監視装置２の異常監視処理について図２を基に説明する。ここで、異常監視携帯端末１及び異常監視装置２の初期状態は非監視状態となっており、異常監視携帯端末１及び異常監視装置２は警戒監視モードが設定されている間に使用者の状態確認を行うように構成されている。
【００５３】
異常監視携帯端末１は、非監視状態（状態＃１１１）において、使用者の操作により警戒モードが設定されると警戒モード（状態＃１１２）に移行する。このとき、警戒モード設定手段１１は、警戒モードが設定されたことを示す警戒モード設定信号Ｓ１を異常監視装置２に送信する。
【００５４】
異常監視携帯端末１は、警戒モード（状態＃１１２）時に、使用者の操作により警戒モードが解除された場合には、警戒モードが解除されたことを示す警戒モード設定信号Ｓ２を異常監視装置２に対して送信し、非監視状態（状態＃１１１）に移行する。異常監視携帯端末１は、警戒モード（状態＃１１２）が設定されると、予め設定された一定時間経過毎に操作要求モード（状態＃１１３）に移行する。操作要求モード（状態＃１１３）において、操作要求手段１２は、使用者に正常状態確認操作の操作要求を行う。
【００５５】
異常監視携帯端末１は、操作要求モード（状態＃１１３）において、使用者により正常状態確認操作が行われると、正常状態確認信号Ｓ３を異常監視装置２に対して送信し、警戒モード（状態＃１１２）に移行する。また、異常監視携帯端末１は、操作要求モード（状態＃１１３）時に、使用者の操作により警戒モードが解除された場合には、警戒モードが解除されたことを示す警戒モード設定信号Ｓ２を異常監視装置２に対して送信し、非監視状態（状態＃１１１）に移行する。
【００５６】
異常監視装置２は、非監視状態（状態＃１２１）において、警戒モードが設定されたことを示す警戒モード設定信号Ｓ１を受信すると、監視モード（状態＃１２２）に移行する。
【００５７】
異常監視装置２は、異常監視携帯端末１からの警戒モード設定信号Ｓ１（設定）または正常状態確認信号Ｓ３の受信により監視モード（状態＃１２２）が設定されると、各信号の受信時刻からの経過時間の計測を行う。異常監視装置２は、監視モード（状態＃１２２）において、前記受信時刻から受信予定時間内に新たな正常状態確認信号Ｓ３を受信した場合は（状態＃１２３）、受信した正常状態確認信号Ｓ３とその受信時刻を記憶領域２３に記憶し、監視モード（状態＃１２２）に移行する。また、異常監視装置２は、監視モード（状態＃１２２）において、前回の警戒モード設定信号Ｓ１または正常状態確認信号Ｓ３の受信時刻から受信予定時間内に新たな正常状態確認信号Ｓ３を受信しなかった場合、異常監視携帯端末１の使用者の状態が異常状態であると判定する（状態＃１２４）。更に、異常監視装置２は、監視モード（状態＃１２２）において、警戒モード設定信号Ｓ２（解除）を受信したときは、非監視状態（状態＃１２１）に移行する。
【００５８】
本実施形態では、異常監視装置２において異常状態と判定された場合、異常監視装置２を備える警備会社によって、異常監視携帯端末１の使用者に関係する個人、例えば、使用者が子供である場合の保護者等、及び、使用者に関係する機関、例えば、警察署、学校等に対し、使用者の状態が異常状態であることが通報される。当該通報において、使用者の氏名、年齢、性別、現在位置等が通知される。
【００５９】
〈第２実施形態〉
本発明に係る異常監視携帯端末及び異常監視装置の第２実施形態について図３及び図４を基に説明する。
【００６０】
本実施形態の異常監視携帯端末１は、図３に示すように、上記第１実施形態の異常監視携帯端末１と同様に、通信インターフェース１０、警戒モード設定手段１１、操作要求手段１２、正常状態確認信号生成手段１３、及び、発信手段１４を備えて構成されている。ここで、通信インターフェース１０、警戒モード設定手段１１、正常状態確認信号生成手段１３、及び、発信手段１４の構成は上記第１実施形態と同じであるので、本実施形態ではその説明を割愛する。
【００６１】
本実施形態の操作要求手段１２は、異常監視装置２からの正常状態確認要求Ｓ４に応じて、使用者に対し所定の正常状態確認操作を行わせるための操作要求を行う。
【００６２】
本実施形態の異常監視装置２は、図３に示すように、上記第１実施形態の異常監視装置２の各構成に加え、所定の操作時点設定ルールに基づいて、異常監視携帯端末１に対し正常状態確認要求Ｓ４を発信する正常状態確認要求手段２４を備えて構成される。
【００６３】
正常状態確認要求手段２４は、本実施形態では、警戒モードが設定されている場合に、一定時間が経過する毎に異常監視携帯端末１に対し正常状態確認操作の操作要求を行う。
【００６４】
次に、本実施形態における異常監視携帯端末１及び異常監視装置２の異常監視処理について図４を基に説明する。また、本実施形態では、上記第１実施形態と同様に、異常監視携帯端末１及び異常監視装置２の初期状態は非監視状態となっており、異常監視携帯端末１及び異常監視装置２は警戒監視モードが設定されている間に使用者の状態確認を行うように構成されている。
【００６５】
異常監視携帯端末１は、非監視状態（状態＃２１１）において、使用者の操作により警戒モードが設定されると警戒モード（状態＃２１２）に移行する。このとき、警戒モード設定手段１１は、警戒モードが設定されたことを示す警戒モード設定信号Ｓ１を異常監視装置２に送信する。
【００６６】
異常監視携帯端末１は、警戒モード（状態＃２１２）時に、使用者の操作により警戒モードが解除された場合には、警戒モードが解除されたことを示す警戒モード設定信号Ｓ２を異常監視装置２に対して送信し、非監視状態（状態＃２１１）に移行する。異常監視携帯端末１は、警戒モード（状態＃２１２）において異常監視装置２から正常状態確認要求Ｓ４を受信すると、操作要求モード（状態＃２１３）に移行する。
【００６７】
操作要求モード（状態＃２１３）において、異常監視携帯端末１の操作要求手段１２は使用者に対する正常状態確認操作の操作要求を行う。使用者により正常状態確認操作が行われると、異常監視携帯端末１の発信手段１４は、正常状態確認信号生成手段１３によって生成された正常状態確認信号Ｓ３を異常監視装置２に対して送信し、警戒モード（状態＃２１２）に移行する。また、異常監視携帯端末１は、操作要求モード（状態＃２１３）時に、使用者の操作により警戒モードが解除された場合には、警戒モードが解除されたことを示す警戒モード設定信号Ｓ２を異常監視装置２に対して送信し、非監視状態（状態＃２１１）に移行する。
【００６８】
異常監視装置２は、非監視状態（状態＃２２１）において、警戒モードが設定されたことを示す警戒モード設定信号Ｓ１を受信すると、監視モード（状態＃２２２）に移行する。
【００６９】
異常監視装置２は、監視モード（状態＃２２２）が設定されると、正常状態確認要求手段２４が一定時間経過毎に異常監視携帯端末１に対して正常状態確認要求Ｓ４を行う（状態＃２２３）。状態＃２２３において正常状態確認要求Ｓ４を行った後、予め設定された受信予定期間が経過する前に異常監視携帯端末１から正常状態確認信号Ｓ３を受信したときは、監視モード（状態＃２２２）に移行する。状態＃２２３において、予め設定された受信予定期間内に異常監視携帯端末１から正常状態確認信号Ｓ３を受信しなかった場合は、異常監視携帯端末１の所有者の状態が異常状態であると判定する（状態＃２２４）。更に、異常監視装置２は、監視モード（状態＃２２２）において、警戒モード設定信号Ｓ２（解除）を受信したときは、非監視状態（状態＃２２１）に移行する。
【００７０】
〈第３実施形態〉
本発明に係る異常監視携帯端末及び異常監視装置の第３実施形態について図５及び図６を基に説明する。
【００７１】
本実施形態の異常監視携帯端末１は、図５に示すように、上記第１実施形態の異常監視携帯端末１の通信インターフェース１０、警戒モード設定手段１１、操作要求手段１２、正常状態確認信号生成手段１３、及び、発信手段１４に加え、確認地点通過検出手段１６及び確認地点通過信号生成手段１７を備えて構成されている。ここで、通信インターフェース１０、警戒モード設定手段１１、及び、正常状態確認信号生成手段１３の構成は上記第１実施形態と同じであるので、本実施形態ではその説明を割愛する。
【００７２】
確認地点通過検出手段１６は、所定の確認地点の通過を検出し、操作要求手段１２及び確認地点通過信号生成手段１７に検出した確認地点に係る情報を出力する。本実施形態の確認地点通過検出手段１６は、ＧＰＳを用いて異常監視携帯端末１の現在位置を特定する機能を備えており、定期的にＧＰＳを用いて異常監視携帯端末１の現在位置を特定することで、異常監視携帯端末１の確認地点の通過を検出する。
【００７３】
確認地点通過信号生成手段１７は、確認地点通過検出手段１６が確認地点の通過を検出した場合に、確認地点通過信号Ｓ５を生成する。本実施形態の確認地点通過信号Ｓ５は、異常監視携帯端末１の端末ＩＤ、確認地点を示す位置情報、及び、中継端末３に対する異常監視装置２への転送指示を含んで構成される。ここでの位置情報は、世界測地系による経度・緯度である。
【００７４】
操作要求手段１２は、本実施形態では、確認地点通過検出手段１６によって、所定の通過予定時間内に通過予定の確認地点の通過が検出されなかった場合に、正常状態確認操作を行わせるための操作要求を行う。ここで、通過予定時間は、警戒モード設定時に確認地点毎に確認地点間の距離や使用者の属性、例えば、性別や年齢等に応じて設定する。尚、本実施形態では、操作要求手段１２が、通過予定の確認地点の通過が検出されている場合は操作要求を行わないので、使用者の正常状態確認操作にかかる手間を低減することができる。
【００７５】
発信手段１４は、本実施形態では、正常状態確認信号生成手段１３が正常状態確認信号Ｓ３を生成したときに当該正常状態確認信号Ｓ３を通信インターフェース１０を介して異常監視装置２に対して発信し、確認地点通過信号生成手段１７が確認地点通過信号Ｓ５を生成したときに当該確認地点通過信号Ｓ５を通信インターフェース１０を介して異常監視装置２に対して発信する。
【００７６】
本実施形態の異常監視装置２は、図５に示すように、上記第１実施形態の異常監視装置２の通信インターフェース２０、受信手段２１及び状態判定手段２２を備えて構成される。ここで、通信インターフェース２０の構成は上記第１実施形態と同じであるので、本実施形態ではその説明を割愛する。
【００７７】
受信手段２１は、本実施形態では、異常監視携帯端末１から発信された警戒モード設定信号Ｓ１、Ｓ２、正常状態確認信号Ｓ３及び確認地点通過信号Ｓ５を受信する。更に、本実施形態の受信手段２１は、各信号を受信したときは、各信号の受信時刻を取得し、各信号と受信時刻とを異常監視携帯端末１に予め搭載されている不揮発性半導体メモリ等の記憶装置の所定の記憶領域２３に記憶する。尚、本実施形態の記憶領域２３は、正常状態確認信号Ｓ３の複数と確認地点通過信号Ｓ５の複数を記憶可能に構成されている。
【００７８】
状態判定手段２２は、本実施形態では、通過予定時間内に通過予定の確認地点に係る確認地点通過信号Ｓ５が受信されなかった場合に、正常状態確認操作の操作要求に対する正常状態確認信号Ｓ３の受信がない場合に、所有者の状態が異常状態であると判定する。
【００７９】
次に、本実施形態における異常監視携帯端末１及び異常監視装置２の異常監視処理について図６を基に説明する。ここで、異常監視携帯端末１及び異常監視装置２の初期状態は非監視状態となっており、異常監視携帯端末１及び異常監視装置２は警戒監視モードが設定されている間に使用者の状態確認を行うように構成されている。
【００８０】
異常監視携帯端末１は、非監視状態（状態＃３１１）において、使用者の操作により警戒モードが設定されると警戒モード（状態＃３１２）に移行する。このとき、警戒モード設定手段１１は、警戒モードが設定されたことを示す警戒モード設定信号Ｓ１を異常監視装置２に送信する。
【００８１】
異常監視携帯端末１は、警戒モード（状態＃３１２）が設定されたときに経過時間の計測を開始する。異常監視携帯端末１は、警戒モード（状態＃３１２）において、確認地点通過検出手段１６によって確認地点の通過が検出された場合に、確認地点通過信号生成手段１７が生成した確認地点通過信号Ｓ５を異常監視装置２に対して送信し（状態＃３１３）、警戒モード（状態＃３１２）に移行する。異常監視携帯端末１は、警戒モード（状態＃３１２）において、通過予定時間内に通過予定の確認地点の通過が検出されなかった場合、操作要求モード（状態＃３１４）に移行する。異常監視携帯端末１は、操作要求モード（状態＃３１４）において、操作要求手段１２により正常状態確認操作の操作要求を行い、操作要求に対する正常状態確認操作が認識されると、正常状態確認信号生成手段１３が生成した正常状態確認信号Ｓ３を異常監視装置２に送信し、警戒モード（状態＃３１２）に移行する。また、異常監視携帯端末１は、操作要求モード（状態＃３１４）時に、使用者の操作により警戒モードが解除された場合には、警戒モードが解除されたことを示す警戒モード設定信号Ｓ２を異常監視装置２に対して送信し、非監視状態（状態＃３１１）に移行する。
【００８２】
異常監視装置２は、非監視状態（状態＃３２１）において、警戒モードが設定されたことを示す警戒モード設定信号Ｓ１を受信すると、監視モード（状態＃３２２）に移行する。
【００８３】
異常監視装置２は、監視モード（状態＃３２２）において、通過予定時間内に通過予定の確認地点の通過に係る確認地点通過信号Ｓ５が受信されなかった場合に、経過時間の計測を開始し、受信予定期間内に正常状態確認信号Ｓ３を受信しなかった場合は、所有者の状態が異常状態であると判定する（状態＃３２４）。異常監視装置２は、監視モード（状態＃３２２）において、通過予定時間内に通過予定の確認地点の通過に係る確認地点通過信号Ｓ５が受信されなかった場合に、受信予定期間内に正常状態確認信号Ｓ３を受信した場合は、経過時間の計測をリセットし（状態＃３２３）、監視モード（状態＃３２２）に移行する。更に、異常監視装置２は、監視モード（状態＃３２２）において、警戒モード設定信号Ｓ２（解除）を受信したときは、非監視状態（状態＃３２１）に移行する。
【００８４】
〈第４実施形態〉
本発明に係る異常監視携帯端末及び異常監視装置の第４実施形態について図７及び図８を基に説明する。
【００８５】
本実施形態の異常監視携帯端末１は、図７に示すように、上記第３実施形態の異常監視携帯端末１と同様に、通信インターフェース１０、警戒モード設定手段１１、操作要求手段１２、正常状態確認信号生成手段１３、発信手段１４、確認地点通過検出手段１６、及び、確認地点通過信号生成手段１７を備えて構成されている。ここで、通信インターフェース１０、警戒モード設定手段１１、操作要求手段１２、及び、正常状態確認信号生成手段１３の構成は上記第２実施形態と同じであり、発信手段１４、確認地点通過検出手段１６及び確認地点通過信号生成手段１７の構成は上記第３実施形態と同じであるので、本実施形態ではその説明を割愛する。
【００８６】
本実施形態の異常監視装置２は、図７に示すように、上記第３実施形態の異常監視装置２の通信インターフェース２０、受信手段２１及び状態判定手段２２に加え、正常状態確認要求手段２４を備えて構成される。ここで、通信インターフェース２０及び受信手段２１の構成は上記第３実施形態と同じであるので、本実施形態ではその説明を割愛する。
【００８７】
正常状態確認要求手段２４は、本実施形態では、所定の通過予定時間内に通過予定の確認地点に係る確認地点通過信号Ｓ５が受信されなかった場合に、異常監視携帯端末１に対し正常状態確認要求Ｓ４を行う。通過予定時間は、警戒モード設定時に確認地点毎に確認地点間の距離や使用者の属性に応じて設定する。
【００８８】
本実施形態の状態判定手段２２は、正常状態確認要求手段２４による正常状態確認要求Ｓ４の後、予め設定された受信予定期間内に正常状態確認信号Ｓ３が受信されなかった場合に、所有者の状態が異常状態であると判定する。
【００８９】
次に、本実施形態における異常監視携帯端末１及び異常監視装置２の異常監視処理について図８を基に説明する。ここで、異常監視携帯端末１及び異常監視装置２の初期状態は非監視状態となっており、異常監視携帯端末１及び異常監視装置２は警戒監視モードが設定されている間に使用者の状態確認を行うように構成されている。
【００９０】
異常監視携帯端末１は、非監視状態（状態＃４１１）において、使用者の操作により警戒モードが設定されると警戒モード（状態＃４１２）に移行する。このとき、警戒モード設定手段１１は、警戒モードが設定されたことを示す警戒モード設定信号Ｓ１を異常監視装置２に送信する。
【００９１】
異常監視携帯端末１は、警戒モード（状態＃４１２）時に、使用者の操作により警戒モードが解除された場合には、警戒モードが解除されたことを示す警戒モード設定信号Ｓ２を異常監視装置２に対して送信し、非監視状態（状態＃４１１）に移行する。警戒モード（状態＃４１２）において、確認地点通過検出手段１６によって確認地点の通過が検出された場合に、確認地点通過信号生成手段１７が生成した確認地点通過信号Ｓ５を異常監視装置２に対して送信し（状態＃４１３）、警戒モード（状態＃４１２）に移行する。また、異常監視携帯端末１は、警戒モード（状態＃４１２）において異常監視装置２から正常状態確認要求Ｓ４を受信すると、操作要求モード（状態＃４１４）に移行する。操作要求モード（状態＃４１４）において、異常監視携帯端末１の操作要求手段１２は使用者に対する正常状態確認操作の操作要求を行う。使用者により正常状態確認操作が行われると、異常監視携帯端末１の発信手段１４は、正常状態確認信号生成手段１３によって生成された正常状態確認信号Ｓ３を異常監視装置２に対して送信し、警戒モード（状態＃４１２）に移行する。更に、異常監視携帯端末１は、操作要求モード（状態＃４１４）時に、使用者の操作により警戒モードが解除された場合には、警戒モードが解除されたことを示す警戒モード設定信号Ｓ２を異常監視装置２に対して送信し、非監視状態（状態＃４１１）に移行する。
【００９２】
異常監視装置２は、非監視状態（状態＃４２１）において、警戒モードが設定されたことを示す警戒モード設定信号Ｓ１を受信すると、監視モード（状態＃４２２）に移行する。
【００９３】
異常監視装置２は、監視モード（状態＃４２２）において、確認地点通過信号Ｓ５を受信したときに経過時間の計測をリセットし（状態＃４２３）、再度、監視モード（状態＃４２２）に移行する。異常監視装置２は、所定の通過予定時間内に通過予定の確認地点に係る確認地点通過信号Ｓ５を受信しなかった場合に、異常監視携帯端末１に対し正常状態確認要求Ｓ４を行う（状態＃４２４）。異常監視装置２は、状態＃４２４において、受信予定期間内に異常監視携帯端末１から正常状態確認信号Ｓ３を受信した場合は監視モード（状態＃４２２）に移行する。異常監視装置２は、状態＃４２４において、受信予定期間内に異常監視携帯端末１から正常状態確認信号Ｓ３を受信しなかった場合は、所有者の状態が異常状態であると判定する（状態＃４２５）。更に、異常監視装置２は、監視モード（状態＃４２２）において、警戒モード設定信号Ｓ２（解除）を受信したときは、非監視状態（状態＃４２１）に移行する。
【００９４】
〈第５実施形態〉
本発明に係る異常監視携帯端末及び異常監視装置の第５実施形態について図９及び図１０を基に説明する。
【００９５】
本実施形態の異常監視携帯端末１は、図９に示すように、上記第１実施形態の通信インターフェース１０、警戒モード設定手段１１、操作要求手段１２、正常状態確認信号生成手段１３及び発信手段１４に加え、位置情報送信手段１８を備えて構成される。ここで、通信インターフェース１０、警戒モード設定手段１１、操作要求手段１２及び発信手段１４の構成は上記第１実施形態と同じであるので、本実施形態ではその説明を割愛する。
【００９６】
正常状態確認信号生成手段１３は、本実施形態では、使用者による正常状態確認操作を認識する毎に、正常状態確認信号Ｓ３を生成する。本実施形態の正常状態確認信号Ｓ３は、異常監視携帯端末１の端末ＩＤ、使用者の属性情報及び中継端末３に対する異常監視装置２への転送指示を含んで構成される。
【００９７】
位置情報送信手段１８は、所定時間経過毎に現在位置を特定し、特定した現在位置を示す位置情報を含む位置情報通知信号Ｓ６を異常監視装置２に対し送信する。より具体的には、本実施形態の位置情報通知信号Ｓ６は、異常監視携帯端末１の端末ＩＤ、異常監視携帯端末１の現在位置を示す位置情報、及び、中継端末３に対する異常監視装置２への転送指示を含んで構成される。ここでの位置情報は、異常監視装置２とのデータ通信を中継したホームセキュリティ端末３の端末ＩＤであり、異常監視装置２において当該端末ＩＤに基づいて中継したホームセキュリティ端末３の設置場所を取得し、無線電波の電界強度情報等に基づいてホームセキュリティ端末３と異常監視携帯端末１の距離を取得することで、異常監視携帯端末１の現在位置が特定可能になる。
【００９８】
本実施形態の異常監視装置２は、図９に示すように、上記第１実施形態の異常監視装置２の通信インターフェース２０、受信手段２１及び状態判定手段２２に加え、確認地点通過検出手段２５を備えて構成される。ここで、通信インターフェース２０の構成は上記第１実施形態と同じであるので、本実施形態ではその説明を割愛する。
【００９９】
受信手段２１は、本実施形態では、警戒モード設定信号Ｓ１、Ｓ２、正常状態確認信号Ｓ３及び位置情報通知信号Ｓ６を受信する。更に、本実施形態の受信手段２１は、各信号を受信したときは、各信号の受信時刻を取得し、各信号と受信時刻とを異常監視携帯端末１に予め搭載されている不揮発性半導体メモリ等の記憶装置の所定の記憶領域２３に記憶する。尚、本実施形態の記憶領域２３は、正常状態確認信号Ｓ３の複数と位置情報通知信号Ｓ６の複数を記憶可能に構成されている。
【０１００】
確認地点通過検出手段２５は、異常監視携帯端末１から発信された位置情報通知信号Ｓ６に基づいて、予め設定された所定の確認地点の通過を検出する。本実施形態では、位置情報通知信号Ｓ６には、位置情報として異常監視携帯端末１と異常監視装置２とのデータ通信を中継したホームセキュリティ端末３の端末ＩＤが含まれており、この端末ＩＤからデータ通信を中継したホームセキュリティ端末３を特定し、該ホームセキュリティ端末３の設置場所を特定する。更に、確認地点通過検出手段２５は、ホームセキュリティ端末３と異常監視携帯端末１の間の距離を、無線電波の電界強度情報等から取得する。そして、確認地点通過検出手段２５は、ホームセキュリティ端末３の設置場所と、ホームセキュリティ端末３と異常監視携帯端末１の間の距離から、異常監視携帯端末１の現在位置を特定し、予め設定された確認地点の通過を判定する。
【０１０１】
状態判定手段２２は、本実施形態では、所定の通過予定時間内に通過予定の確認地点の通過が確認地点通過検出手段２５によって検出されなかった場合に、正常状態確認信号Ｓ３の受信予定期間内に受信手段２１が正常状態確認信号Ｓ３を受信しなかった場合に、使用者の状態が異常状態であると判定する。
【０１０２】
次に、本実施形態における異常監視携帯端末１及び異常監視装置２の異常監視処理について図１０を基に説明する。ここで、異常監視携帯端末１及び異常監視装置２の初期状態は非監視状態となっており、異常監視携帯端末１及び異常監視装置２は警戒監視モードが設定されている間に使用者の状態確認を行うように構成されている。
【０１０３】
異常監視携帯端末１は、非監視状態（状態＃５１１）において、使用者の操作により警戒モードが設定されると警戒モード（状態＃５１２）に移行する。このとき、警戒モード設定手段１１は、警戒モードが設定されたことを示す警戒モード設定信号Ｓ１を異常監視装置２に送信する。
【０１０４】
異常監視携帯端末１は、警戒モード（状態＃５１２）時に、常時、異常監視装置２とデータ通信を行い、位置情報通知信号Ｓ６を送信する。また、異常監視携帯端末１は、警戒モード（状態＃５１２）が設定されると、予め設定された一定時間経過毎に操作要求モード（状態＃５１３）に移行する。操作要求モード（状態＃５１３）において、操作要求手段１２は、使用者に正常状態確認操作の操作要求を行う。警戒モード（状態＃５１２）時に、使用者の操作により警戒モードが解除された場合には、警戒モードが解除されたことを示す警戒モード設定信号Ｓ２を異常監視装置２に対して送信し、非監視状態（状態＃５１１）に移行する。
【０１０５】
異常監視装置２は、非監視状態（状態＃５２１）において、警戒モードが設定されたことを示す警戒モード設定信号Ｓ１を受信すると、監視モード（状態＃５２２）に移行する。
【０１０６】
異常監視装置２は、監視モード（状態＃５２２）時に、常時、異常監視携帯端末１とデータ通信を行い、位置情報通知信号Ｓ６を受信する。また、異常監視装置２は、監視モード（状態＃５２２）において、正常状態確認信号Ｓ３を受信したとき、または、確認地点通過検出手段２５が所定の確認地点の通過を検出したときに経過時間の計測をリセットし（状態＃５２３）、再度、監視モード（状態＃５２２）に移行する。異常監視装置２は、所定の通過予定時間内に確認地点の通過が検出されなかった場合に、予め設定された受信予定期間内に正常状態確認信号Ｓ３が受信されなかった場合に、所有者の状態が異常状態であると判定する（状態＃５２４）。更に、異常監視装置２は、監視モード（状態＃５２２）において、警戒モード設定信号Ｓ２（解除）を受信したときは、非監視状態（状態＃５２１）に移行する。
【０１０７】
〈第６実施形態〉
本発明に係る異常監視携帯端末及び異常監視装置の第６実施形態について図１１及び図１２を基に説明する。
【０１０８】
本実施形態の異常監視携帯端末１は、図１１に示すように、通信インターフェース１０、警戒モード設定手段１１、操作要求手段１２及び正常状態確認信号生成手段１３、発信手段１４及び位置情報送信手段１８を備えて構成される。ここで、通信インターフェース１０、警戒モード設定手段１１及び操作要求手段１２の構成は上記第２実施形態と同じであり、正常状態確認信号生成手段１３、発信手段１４及び位置情報送信手段１８の構成は上記第５実施形態と同じであるので、本実施形態ではその説明を割愛する。
【０１０９】
本実施形態の異常監視装置２は、図１１に示すように、上記第５実施形態の異常監視装置２の通信インターフェース２０、受信手段２１、状態判定手段２２及び確認地点通過検出手段２５に加え、正常状態確認要求手段２４を備えて構成される。ここで、通信インターフェース２０、受信手段２１、状態判定手段２２及び確認地点通過検出手段２５の構成は上記第５実施形態と同じであるので、本実施形態ではその説明を割愛する。
【０１１０】
正常状態確認要求手段２４は、本実施形態では、確認地点通過検出手段２５によって所定の通過予定時間内に通過予定の確認地点の通過が検出されなかった場合に、異常監視携帯端末１に対し正常状態確認要求Ｓ４を行う。通過予定時間は、警戒モード設定時に確認地点毎に確認地点間の距離や使用者の属性に応じて設定する。
【０１１１】
次に、本実施形態における異常監視携帯端末１及び異常監視装置２の異常監視処理について図１２を基に説明する。また、本実施形態では、上記第１実施形態と同様に、異常監視携帯端末１及び異常監視装置２の初期状態は非監視状態となっており、異常監視携帯端末１及び異常監視装置２は警戒監視モードが設定されている間に使用者の状態確認を行うように構成されている。
【０１１２】
異常監視携帯端末１は、非監視状態（状態＃６１１）において、使用者の操作により警戒モードが設定されると警戒モード（状態＃６１２）に移行する。このとき、警戒モード設定手段１１は、警戒モードが設定されたことを示す警戒モード設定信号Ｓ１を異常監視装置２に送信する。
【０１１３】
異常監視携帯端末１は、警戒モード（状態＃６１２）時に、使用者の操作により警戒モードが解除された場合には、警戒モードが解除されたことを示す警戒モード設定信号Ｓ２を異常監視装置２に対して送信し、非監視状態（状態＃６１１）に移行する。異常監視携帯端末１は、警戒モード（状態＃６１２）において異常監視装置２から正常状態確認要求Ｓ４を受信すると、操作要求モード（状態＃６１３）に移行する。異常監視携帯端末１は、操作要求モード（状態＃６１３）において、異常監視携帯端末１の操作要求手段１２は使用者に対する正常状態確認操作の操作要求を行う。使用者により正常状態確認操作が行われると、異常監視携帯端末１の発信手段１４は、正常状態確認信号生成手段１３によって生成された正常状態確認信号Ｓ３を異常監視装置２に対して送信し、警戒モード（状態＃６１２）に移行する。また、異常監視携帯端末１は、操作要求モード（状態＃６１３）時に、使用者の操作により警戒モードが解除された場合には、警戒モードが解除されたことを示す警戒モード設定信号Ｓ２を異常監視装置２に対して送信し、非監視状態（状態＃６１１）に移行する。
【０１１４】
異常監視装置２は、非監視状態（状態＃６２１）において、警戒モードが設定されたことを示す警戒モード設定信号Ｓ１を受信すると、監視モード（状態＃６２２）に移行する。
【０１１５】
異常監視装置２は、監視モード（状態＃６２２）において、通過予定の確認地点の通過が確認地点通過検出手段２５によって検出された場合は、経過時間の計測をリセットし（状態＃６２３）、再度監視モード（状態＃６２２）に移行する。異常監視装置２は、監視モード（状態＃６２２）において、確認地点通過検出手段２５によって所定の通過予定時間内に通過予定の確認地点の通過が検出されなかった場合に、正常状態確認要求手段２４が異常監視携帯端末１に対して正常状態確認要求Ｓ４を行う（状態＃６２４）。状態＃６２４において、正常状態確認信号Ｓ３の受信予定期間内に異常監視携帯端末１から正常状態確認信号Ｓ３を受信したときは、監視モード（状態＃６２２）に移行する。状態＃６２４において、正常状態確認信号Ｓ３の受信予定期間内に異常監視携帯端末１から正常状態確認信号Ｓ３を受信しなかった場合は、異常監視携帯端末１の所有者の状態が異常状態であると判定する（状態＃６２５）。更に、異常監視装置２は、監視モード（状態＃６２２）において、警戒モード設定信号Ｓ２（解除）を受信したときは、非監視状態（状態＃６２１）に移行する。
【０１１６】
〈別実施形態〉
〈１〉上記第１〜第４実施形態では、正常状態確認信号生成手段１３がＧＰＳを用いて現在位置を特定する場合について、上記第３、第４実施形態では、異常監視携帯端末１の確認地点通過検出手段１６がＧＰＳを用いて現在位置を特定する場合について、また、上記第５、第６実施形態では、中継端末３の設置場所及び中継端末３と異常監視携帯端末１の距離から現在位置を特定する場合について説明したが、これに限るものではない。現在位置の特定には、ＧＰＳを用いても良いし、中継端末３の設置場所及び中継端末３と異常監視携帯端末１の距離を用いても良い。
【０１１７】
尚、第１〜第４実施形態において、現在位置を特定するのに中継端末３の設置場所及び中継端末３と異常監視携帯端末１の距離を用いる場合には、異常監視携帯端末１から発信される正常状態確認信号Ｓ３は位置情報を含まない構成としても良い。この場合には、異常監視携帯端末１は、正常状態確認信号Ｓ３が経由した中継端末３から所定範囲内にあることから、中継端末３の設置場所を特定することで、中継端末３と通信可能な範囲において、異常監視携帯端末１の位置を特定することが可能になる。従って、例えば、中継端末３の設置間隔を短くすることで、異常監視携帯端末１の位置特定精度を上げることができる。尚、異常監視携帯端末１が複数の中継端末３と通信可能な領域にある場合に、通信可能な中継端末３の夫々に対し、各別に正常状態確認信号Ｓ３を送信するように構成しても良い。このように構成すれば、異常監視装置２において複数の正常状態確認信号Ｓ３の中継端末３の情報を組み合わせることで、より精度良く異常監視携帯端末１の位置を特定することができる。また、現在位置の特定にＧＰＳを用いた場合には、位置情報として、世界測地系による経度・緯度を想定して説明したが、これに限るものではなく、例えば、住所等であっても良い。また、例えば、各ＧＰＳ衛星から受信した電波信号に含まれるＧＰＳ衛星の軌道と時刻のデータ等を位置情報とし、異常監視装置２側で該位置情報（ＧＰＳ衛星の軌道と時刻のデータ等）に基づいて異常監視携帯端末１の位置を特定するように構成しても良い。
【０１１８】
〈２〉上記各実施形態では、警戒モード設定信号Ｓ１、Ｓ２が異常監視携帯端末１の現在位置を示す位置情報を含む場合について説明したが、警戒モード設定信号Ｓ１、Ｓ２は必ずしも異常監視携帯端末１の現在位置を含まなくても良い。例えば、異常監視携帯端末１によって発信された警戒モード設定信号Ｓ１、Ｓ２を中継したホームセキュリティ端末３の設置場所等から異常監視携帯端末１の現在位置を異常監視装置２側で検出する構成にしても良い。
【０１１９】
〈３〉上記各実施形態では、異常監視携帯端末１と異常監視装置２の通信を中継端末３を介して行う場合について説明したが、これに限るものではない。例えば、異常監視携帯端末１が携帯電話機である場合に、異常監視携帯端末１と異常監視装置２を直接通信可能に構成しても良い。
【０１２０】
〈４〉上記各実施形態では、異常監視携帯端末１の使用者の操作により警戒モードを設定する場合について説明したが、これに限るものではない。例えば、異常監視携帯端末１の所有者が子供である場合に、位置情報を基に学校から住戸までの間、自動的に警戒モードが設定されるように構成しても良い。このように構成すれば、必要な場合に警戒モードを確実に設定することができ、使用者の安全をより確実に担保することが可能になる。
【図面の簡単な説明】
【０１２１】
【図１】本発明に係る異常監視携帯端末及び異常監視装置の第１実施形態における概略構成を示す概略ブロック図
【図２】本発明に係る異常監視携帯端末及び異常監視装置の第１実施形態における処理を示す状態遷移図
【図３】本発明に係る異常監視携帯端末及び異常監視装置の第２実施形態における概略構成を示す概略ブロック図
【図４】本発明に係る異常監視携帯端末及び異常監視装置の第２実施形態における処理を示す状態遷移図
【図５】本発明に係る異常監視携帯端末及び異常監視装置の第３実施形態における概略構成を示す概略ブロック図
【図６】本発明に係る異常監視携帯端末及び異常監視装置の第３実施形態における処理を示す状態遷移図
【図７】本発明に係る異常監視携帯端末及び異常監視装置の第４実施形態における概略構成を示す概略ブロック図
【図８】本発明に係る異常監視携帯端末及び異常監視装置の第４実施形態における処理を示す状態遷移図
【図９】本発明に係る異常監視携帯端末及び異常監視装置の第５実施形態における概略構成を示す概略ブロック図
【図１０】本発明に係る異常監視携帯端末及び異常監視装置の第５実施形態における処理を示す状態遷移図
【図１１】本発明に係る異常監視携帯端末及び異常監視装置の第６実施形態における概略構成を示す概略ブロック図
【図１２】本発明に係る異常監視携帯端末及び異常監視装置の第６実施形態における処理を示す状態遷移図
【符号の説明】
【０１２２】
１    本発明に係る異常監視携帯端末
２    本発明に係る異常監視装置
３    ホームセキュリティ端末
１０  通信インターフェース
１１  警戒モード設定手段
１２  操作要求手段
１３  正常状態確認信号生成手段
１４  発信手段
１５  記憶領域
１６  確認地点通過検出手段
１７  確認地点通過信号生成手段
１８  位置情報送信手段
２０  通信インターフェース
２１  受信手段
２２  状態判定手段
２３  記憶領域
２４  正常状態確認要求手段
２５  確認地点通過検出手段
Ｓ１  警戒モード設定信号（設定）
Ｓ２  警戒モード設定信号（解除）
Ｓ３  正常状態確認信号
Ｓ４  正常状態確認要求
Ｓ５  確認地点通過信号
Ｓ６  位置情報通知信号
【図１】
2007264913.tif 000003
【図２】
2007264913.tif 000004
【図３】
2007264913.tif 000005
【図４】
2007264913.tif 000006
【図５】
2007264913.tif 000007
【図６】
2007264913.tif 000008
【図７】
2007264913.tif 000009
【図８】
2007264913.tif 000010
【図９】
2007264913.tif 000011
【図１０】
2007264913.tif 000012
【図１１】
2007264913.tif 000013
【図１２】
2007264913.tif 000014